(57)【要約】【課題】  逆流防止弁を備えた配管構造において、逆流防止弁と他の配管部材との接続部分を密閉的に接続する方法を提供する。【解決手段】  逆流防止弁を備えた配管構造であって、配管構造を成す管体Ｔの内部に配置される、弾性を有する素材から構成される逆流防止弁１を、本体部１ａ、開口部１ｂ、閉塞部１ｃ、及び弾性を有する逆流防止弁１と一体に設けられ、逆流防止弁１の周縁に、周縁に沿って連続して設けられる、対向する面Ｐを備えてなり、該対向する面Ｐ同士の間に、配管構造に備えられる配管部材のリブ部分を有する取付部３ａを密閉的に当接させ挟持することで、逆流防止弁１の開口部１ｂから閉塞部１ｃ以外の流路を、逆流防止弁１の上流側と下流側とに密閉的に区画する逆流防止弁密閉部１ｄと、から構成する。【選択図】図２
2014043912.tif 000002
【特許請求の範囲】
【請求項１】
配管内に配置されて配管内の逆流を防止する逆流防止弁を備えた配管構造であって、
配管構造を成す管体Ｔの内部に配置される、弾性を有する素材から構成される逆流防止弁１を、
略筒形状の本体部１ａと、
本体部１ａの上流側の端部に備えた開口部１ｂと、
本体部１ａの下流側の端部に備えた、対向する面同士が漸次近接するように設けた傾斜により当接することで閉塞される閉塞部１ｃと、
弾性を有する逆流防止弁１と一体に設けられ、逆流防止弁１の周縁に、周縁に沿って連続して設けられる、対向する面Ｐを備えてなり、該対向する面Ｐ同士の間に、配管構造に備えられる配管部材のリブ部分を有する取付部３ａを密閉的に当接させ挟持することで、
逆流防止弁１の開口部１ｂから閉塞部１ｃ以外の流路を、逆流防止弁１の上流側と下流側とに密閉的に区画する逆流防止弁密閉部１ｄと、
から構成してなることを特徴とする、逆流防止弁を備えた配管構造。
【請求項２】
配管内に配置されて配管内の逆流を防止する逆流防止弁を備えた配管構造であって、
配管構造を成す管体Ｔの内部に配置される、弾性を有する素材から構成される逆流防止弁１を、
略筒形状の本体部１ａと、
本体部１ａの上流側の端部に備えた開口部１ｂと、
本体部１ａの下流側の端部に備えた、対向する面同士が漸次近接するように設けた傾斜により当接することで閉塞される閉塞部１ｃと、
弾性を有する逆流防止弁１と一体に設けられるリブ部分であって、逆流防止弁１の周縁に、周縁に沿って連続して設けられ、配管構造に備えられる配管部材の対向する面Ｐを有する取付部３ａに挟持されて、
逆流防止弁１と管体Ｔの内部との間を密閉的に当接させることで、
逆流防止弁１の開口部１ｂから閉塞部１ｃ以外の流路を、逆流防止弁１の上流側と下流側とに密閉的に区画する逆流防止弁密閉部１ｄと、
から構成してなることを特徴とする、逆流防止弁を備えた配管構造。
【請求項３】
上記逆流防止弁を備えた配管構造において、
配管構造を成す管体Ｔの内部にアダプター部材３を備え、
該アダプター部材３は、
管体Ｔの内側面に密閉的に当接するアダプター密閉部２と、
アダプター部材３内部に設けられ、アダプター密閉部２によって区画された上流側と下流側とを連通する、流体が通過する流路部３ｂと、
流路部３ｂの下流側に設けられた、逆流防止弁１の密閉部に当接して逆流防止弁１を取り付ける取付部３ａと、
から構成されることを特徴とする、請求項１又は請求項２に記載の逆流防止弁を備えた配管構造。
【請求項４】
上記逆流防止弁を備えた配管構造において、
アダプター密閉部２を、
弾性を有する逆流防止弁１と一体に構成することを特徴とする、
請求項３に記載の逆流防止弁を備えた配管構造。
【請求項５】
上記逆流防止弁を備えた配管構造において、
逆流防止弁１の逆流防止弁密閉部１ｄ、または取付部３ａの一方の形状を、断面視略コの字形状とすると共に、
他方の形状を、コの字の開口部１ｂ分に密閉的に嵌合するフランジ部と、から構成することを特徴とする、請求項３又は請求項４に記載の逆流防止弁を備えた配管構造。
【請求項６】
上記逆流防止弁を備えた配管構造において、
逆流防止弁密閉部１ｄの断面視略コの字形状の外周部分に、
コの字の外周部分に周縁に沿って連続して設けた凸条を備え、
該凸条を管体Ｔの内側面に密閉的に当接させることで、アダプター密閉部２とすることを特徴とする、
請求項５に記載の逆流防止弁を備えた配管構造。
【請求項７】
上記逆流防止弁を備えた配管構造において、
配管構造を成す管体Ｔの側面に、逆流防止弁１を取り出す取出口６ａを設けたことを特徴とする、
請求項１乃至請求項５のいずれか一つに記載の逆流防止弁を備えた配管構造。
【請求項８】
上記逆流防止弁を備えた配管構造において、
管体Ｔの側面に、逆流防止弁１を取り出す取出口６ａを設けると共に、
アダプター部材３によって該取出口６ａを閉塞するように構成したことを特徴とする、
請求項３乃至請求項６のいずれか一つに記載の逆流防止弁を備えた配管構造。
【発明の詳細な説明】
【技術分野】
【０００１】
本発明は、逆流防止弁を備えた配管構造に関し、更に詳しくは、逆流防止弁を備えた配管構造において、逆流防止弁を配管構造内部に配置する際の密閉構造に関するものである。
【背景技術】
【０００２】
従来より、管体等の配管部材を利用した配管構造において、配管構造内部を通過する流体の逆流を防止するために、配管構造の内部に逆流防止弁を採用した配管構造が知られている。その一例として、特許文献１に記載の逆流防止弁を備えた配管構造について説明する。
配管構造の内部を流れる流体としては、気体、液体など様々な流体が考えられるが、この特許文献１に記載された、従来の逆流防止弁を備えた配管構造は、液体の特に浴槽・浴室・洗面台・流し台など使用により排水を生じる機器（以下「排水機器」）からの排水を処理する配管構造（排水配管）に関するものである。
【０００３】
図１２に示した、従来の逆流防止弁を備えた配管構造は、浴槽・浴室等の排水機器の排水を処理する配管構造であって、以下に記載する、浴槽と、洗い場パンと、配管部材と、逆流防止弁と、から構成される。
浴槽は、上方が開口した槽体であって、底面に、内部に溜めた浴湯を排出するための浴槽排水口を備えてなる。
洗い場パンは、浴室の使用者が身体を洗うなどする、浴槽に隣接して備えられた防水パンであって、底面に洗い場パン上の排水を排出するための洗い場パン排水口を備えてなる。
配管部材は、以下に記載する管体、逆流防止弁等より構成される。
管体は、浴槽や洗い場パンより生じた排水を、下水側の配管に接続するための円筒状の部材であって、直線状の直管や、角度を持って屈曲したエルボ管、Ｔ字形状に分岐したＴ字管等の種類がある。これらは硬質樹脂、または金属材などから構成され、ナット部材や、接着剤などを利用して接続される。
逆流防止弁は、配管構造の内部に配置固定される、シリコンゴムなど弾性を有する素材から構成される部材であって、略筒形状にして本体部と、本体部の上流側の端部に備えた開口部と、本体部の下流側の端部に備えた、対向する面同士が漸次近接するように設けた傾斜により当接することで閉塞される閉塞部と、を備えてなる。
この逆流防止弁は、上記のように構成したことで、上流側の端部である開口部から排水が流入すると、その重量／水圧により、下流側の閉塞部が弾性変形し、開口して内部の排水を排出する。排水の排出が完了し、内部の排水の量が減少すると、開口した閉塞部が弾性により元の閉塞状態に変形し、閉塞部が閉塞する。
下流側から屋内側に臭気や排水、害虫類などが逆流しようとした場合、配管の途中に配置されたこの逆流防止弁の閉塞部が閉塞していることにより、通過することができないため、この逆流防止弁よりも上流側に逆流することができない。また通気や排水の逆流が生じた場合でも、外周方向から圧力が加えられた場合では、閉塞部の対向する面同士がより強く当接するため、閉塞を維持し、下流側から上流側への通過、即ち逆流を防止する。
このように、排水を行う配管構造の内部に配置され、下流側から屋内側への臭気や害虫類の逆流を防止する部材を、排水トラップと呼ぶ。尚、排水トラップは臭気や害虫類の逆流を防止する機能が必須である一方で、排水の逆流に対しては防止する機能が必須では無いが、この従来例の排水トラップである逆流防止弁は、排水などに対しても逆流を防止する機能を有している。
【０００４】
上記の各部材から構成される浴槽・浴室の逆流防止弁を備えた配管構造は、以下のようにして施工され、排水を下水側に排出する。
浴槽、浴室の各排水口から、下水側の配管迄を、管体によって配管接続する。この管体の配管接続においては、浴槽と浴室の各排水口からの配管を、途中部分でＴ字管を用いて合流させ、それより下流側の配管を、下水側の配管に接続させる。この時は排水が下流側（下水側）に流れるよう、若干の角度勾配を配管に備えて配管する。
更に浴槽又は洗い場パンの各排水口からＴ字管までの間に、逆流防止弁をそれぞれ配置して、浴槽・浴室の配管構造の施工が完了する。
上記のように構成した浴槽・浴室の排水配管において、浴槽又は洗い場パンの排水口から排水が排出されると、排水は、排水口から管体と、その内部に配置された逆流防止弁を通過し、Ｔ字管体を通過して、下水側に排出される。
また、下水側から臭気や害虫類が逆流してきた場合でも、それぞれの排水口に至る管体上に備えられた逆流防止弁によって、それらが逆流防止弁よりも上流側に逆流することはない。また、浴槽排水口または洗い場排水口の一方の排水口に、Ｔ字管を介して他方の排水口からの排水が逆流してきた場合、または下水側から両方の排水口に排水が逆流してきた場合でも、逆流防止弁によって、逆流防止弁よりも上流側に排水が逆流することを防止することができる。
【０００５】
【特許文献１】特開２００８−１６９５７５号
【発明の開示】
【発明が解決しようとする課題】
【０００６】
上記のような特許文献１に記載の逆流防止弁を備えた配管構造の場合、以下に記載するような問題点があった。
逆流防止弁を備えた配管構造において、管体内に配置された逆流防止弁の上流側と下流側は、配管構造内を流体が上流から下流側へ適切に通過している状態以外の時は、逆流防止弁の密閉により区画される必要がある。
ここで、この密閉により区画される、という構成を達成するためには、逆流防止弁の閉塞部が（流体の上流側から下流側への流れがないことにより）閉塞されている状態において密閉が達成され、流体の下流側からの逆流があっても閉塞部を通過できない、とすると共に、逆流防止弁の外側面と管体（または配管構造）の内側面との間でも密閉が達成されている必要がある。なぜならば、逆流防止弁の外側面と管体（または配管構造）の内側面との間で流体が通過可能であれば、閉塞部の開閉に関係なく、逆流防止弁の上流側と下流側の間で流体の通過が可能となり、下流側から上流側への逆流も可能となる為である。
尚、ここで言う「密閉」とは、「配管構造内を流れる流体が、密閉部分をほぼ通過できない」、という意味である。
例えば配管構造が従来例のように排水の処理を行う配管構造であれば、「密閉」とは「勾配によって自然に流れる排水の水圧に対して、水漏れが生じない水密的な接続」を意味する。これに対し、配管構造を流れる流体が気体であれば、「密閉」とは「配管内を通過する気体が漏れない気密的な接続」を意味するものである。
また、配管構造を流れる流体が、従来例と同じ液体の水の場合であっても、勾配を利用した自然排水を行う従来例の配管構造に対して、常時加圧されている給水配管の場合、「密閉」とは「加圧された給水の水圧に対して、水漏れが生じない水密的な接続」を意味するものである。
このように、配管構造の内部を流れる流体の種類や使用時の流体の圧力等によって、「密閉」に求められる具体的な接続箇所の接続の強度は異なるものであり、「排水用」「給水用」「通気用」等、それぞれの配管の目的、接続される機器に合わせて、配管の内部を流れる流体と通過時の圧力等に対し、「配管を流れる流体が、当該部分をほぼ通過できない」という要件を満たすので有れば、接続箇所の接続の強度に関係なく、当該部分は「密閉」という要件を満たすものである。
上記従来例の場合、具体的に逆流防止弁の外側面と管体の内側面との間で、どの様な方法で密閉を達成しているのかは記載が無く、図面からは接着的な方法等を使用している事が推測される。しかしながら、接着法を用いるためには、逆流防止弁を成す素材を接着可能な素材、つまり「接着剤という薬品に対して溶解等の劣化を生じやすい素材」とする必要があり、逆流防止弁を始め、各部材を劣化しにくい素材にて構成したい、という普遍的な要望を満たさないものとなってしまう。
特に、従来例の場合、配管構造は排水機器の排水を処理する排水配管であるため、その内部を流れる排水には有機溶媒など接着剤の成分に類似するものが通過する場合もある。このため、耐薬性の高い素材を用い、接着以外での方法にて逆流防止弁と、配管部材との接続を行うことが望まれている。
本発明は上記問題点に鑑み発明されたものであって、逆流防止弁を備えた配管構造において、密閉的に接続する必要がある、逆流防止弁と他の配管部材との接続部分の構造に関するものである。
【課題を解決するための手段】
【０００７】
請求項１に記載の本発明は、
配管内に配置されて配管内の逆流を防止する逆流防止弁を備えた配管構造であって、
配管構造を成す管体Ｔの内部に配置される、弾性を有する素材から構成される逆流防止弁１を、略筒形状の本体部１ａと、本体部１ａの上流側の端部に備えた開口部１ｂと、本体部１ａの下流側の端部に備えた、対向する面同士が漸次近接するように設けた傾斜により当接することで閉塞される閉塞部１ｃと、弾性を有する逆流防止弁１と一体に設けられ、逆流防止弁１の周縁に、周縁に沿って連続して設けられる、対向する面Ｐを備えてなり、該対向する面Ｐ同士の間に、配管構造に備えられる配管部材のリブ部分を有する取付部３ａを密閉的に当接させ挟持することで、逆流防止弁１の開口部１ｂから閉塞部１ｃ以外の流路を、逆流防止弁１の上流側と下流側とに密閉的に区画する逆流防止弁密閉部１ｄと、から構成してなることを特徴とする、逆流防止弁を備えた配管構造である。
【０００８】
請求項２に記載の本発明は、
配管内に配置されて配管内の逆流を防止する逆流防止弁を備えた配管構造であって、配管構造を成す管体Ｔの内部に配置される、弾性を有する素材から構成される逆流防止弁１を、略筒形状の本体部１ａと、本体部１ａの上流側の端部に備えた開口部１ｂと、本体部１ａの下流側の端部に備えた、対向する面同士が漸次近接するように設けた傾斜により当接することで閉塞される閉塞部１ｃと、弾性を有する逆流防止弁１と一体に設けられるリブ部分であって、逆流防止弁１の周縁に、周縁に沿って連続して設けられ、配管構造に備えられる配管部材の対向する面Ｐを有する取付部３ａに挟持されて、逆流防止弁１と管体Ｔの内部との間を密閉的に当接させることで、逆流防止弁１の開口部１ｂから閉塞部１ｃ以外の流路を、逆流防止弁１の上流側と下流側とに密閉的に区画する逆流防止弁密閉部１ｄと、から構成してなることを特徴とする、逆流防止弁を備えた配管構造である。
【０００９】
請求項３に記載の本発明は、
上記逆流防止弁を備えた配管構造において、配管構造を成す管体Ｔの内部にアダプター部材３を備え、該アダプター部材３は、管体Ｔの内側面に密閉的に当接するアダプター密閉部２と、アダプター部材３内部に設けられ、アダプター密閉部２によって区画された上流側と下流側とを連通する、流体が通過する流路部３ｂと、流路部３ｂの下流側に設けられた、逆流防止弁１の密閉部に当接して逆流防止弁１を取り付ける取付部３ａと、から構成されることを特徴とする、段落０００７又は段落０００８に記載の逆流防止弁を備えた配管構造である。
【００１０】
請求項４に記載の本発明は、
上記逆流防止弁を備えた配管構造において、アダプター密閉部２を、弾性を有する逆流防止弁１と一体に構成することを特徴とする、段落０００９に記載の逆流防止弁を備えた配管構造である。
【００１１】
請求項５に記載の本発明は、
上記逆流防止弁を備えた配管構造において、逆流防止弁１の逆流防止弁密閉部１ｄ、または取付部３ａの一方の形状を、断面視略コの字形状とすると共に、他方の形状を、コの字の開口部１ｂ分に密閉的に嵌合するフランジ部と、から構成することを特徴とする、段落０００９又は段落００１０に記載の逆流防止弁を備えた配管構造である。
【００１２】
請求項６に記載の本発明は、
上記逆流防止弁を備えた配管構造において、逆流防止弁密閉部１ｄの断面視略コの字形状の外周部分に、コの字の外周部分に周縁に沿って連続して設けた凸条を備え、該凸条を管体Ｔの内側面に密閉的に当接させることで、アダプター密閉部２とすることを特徴とする、段落００１１に記載の逆流防止弁を備えた配管構造である。
【００１３】
請求項７に記載の本発明は、
上記逆流防止弁を備えた配管構造において、配管構造を成す管体Ｔの側面に、逆流防止弁１を取り出す取出口６ａを設けたことを特徴とする、段落０００７乃至段落００１１のいずれか一つに記載の逆流防止弁を備えた配管構造である。
【００１４】
請求項８に記載の本発明は、
上記逆流防止弁を備えた配管構造において、管体Ｔの側面に、逆流防止弁１を取り出す取出口６ａを設けると共に、アダプター部材３によって該取出口６ａを閉塞するように構成したことを特徴とする、段落０００９乃至段落００１２のいずれか一つに記載の逆流防止弁を備えた配管構造である。
尚、請求項７、請求項８で言う「取出口」とは、機器の使用の際に開口して流体が流入する開口ではなく、通常の使用時には閉塞され、メンテナンスなど配管構造の内部に作業を行う必要がある場合のみ開口される開口部分を指し示す表現である。
【発明の効果】
【００１５】
請求項１、請求項２に記載の本発明では、弾性を有する逆流防止弁の本体部の周縁に、弾性を有する本体部と一体に構成された逆流防止弁部密閉部を構成し、
この逆流防止弁密閉部を、配管構造に用いられる配管部材に対して、請求項１のように対向する面の間で挟持するようにすることで、または請求項２のように対向する面の間に挟持されるようにすることで、接着剤などの薬剤を利用する必要なく、嵌合的方法により、逆流防止弁と他の配管部材とを接続するようにした。
この時、逆流防止弁密閉部は、本体部の弾性をそのままパッキングとして利用することができ、これにより、逆防防止弁の開口部から閉塞部へ至る流路以外の流路を、逆流防止弁の上流側と下流側とに密閉的に区画するように構成した。本体部の弾性をそのままパッキングとして利用し、これを挟持・嵌合する構成としたことで、接着などが不要となり、耐薬性の高い素材を利用できるなど素材選択の幅が広がると共に、接着や固定用の専用部材を用意した場合などに比べ、安価且つ施工が容易な構造とすることができる。
請求項３に記載した本発明では、弾性を備えた逆流防止弁との密閉的な接続を、樹脂などの硬質素材からなるアダプター部材が行い、このアダプター部材が同じく硬質な管体と接続するように構成した。このようにアダプター部材を利用することで、配管構造の内部に弾性を有する素材である逆流防止弁を配置するに当たり、配置の作業自体を、硬質素材である管体とアダプター部材との間で行うことができ、配置固定を管体に直接逆流防止弁を密閉的に取り付け固定するより容易且つ確実に行うことができる。
請求項４に記載の本発明では、アダプター密閉部を、逆流防止弁の弾性を利用して構成することができ、逆流防止弁密閉部とアダプター密閉部とをパッキング様の部材で構成する場合に、部材点数を減らすことができ、コストダウンと共に、部材を作成する際の手間を減らすことができる。
請求項５に記載の本発明では、逆流防止弁密閉部、または取付部の構成を明確にすることができる。
請求項６に記載の本発明では、アダプター密閉部の構成を明確にすることができる。
請求項７に記載の本発明では、逆流防止弁を配管構造内部から容易に取り出すことができる。
請求項８に記載の本発明では、アダプター部材を採用した配管構造において、逆流防止弁を配管構造内部から容易に取り出すことができると共に、このアダプター部材を利用して配管構造の開口となる取出口を閉塞することができる。
【図面の簡単な説明】
【００１６】
【図１】第一実施例の施工状態を示す、一部を切り欠きした側面図である。
【図２】第一実施例の要部を示す断面図である。
【図３】第一実施例の要部の部材構成を示す断面図である。
【図４】第二実施例の施工状態を示す、一部を切り欠きした側面図である。
【図５】第二実施例の要部を示す断面図である。
【図６】第二実施例の要部の部材構成を示す断面図である。
【図７】第三実施例の施工状態を示す、一部を切り欠きした側面図である。
【図８】第三実施例の要部を示す断面図である。
【図９】第三実施例の要部の部材構成を示す断面図である。
【図１０】他の実施例の、取出口付き継手管近傍の断面図である。
【図１１】他の実施例の、取出口付き継手管近傍の断面図である。
【図１２】従来の、逆流防止弁を備えた配管構造を示す断面図である。
【実施例】
【００１７】
以下に、本発明の第一実施例について、図面を参照しつつ説明する。
図１乃至図３に示した、本発明の第一実施例の逆流防止弁を備えた配管構造は、以下に記載する、洗面台Ｓと、管体Ｔや逆流防止弁１等からなる配管部材と、その他の部材より構成されてなる。
洗面台Ｓは、床面上に設置され、内部に配管部材を配置するキャビネット部Ｃと、該キャビネット部Ｃの上方に配置される、上方が開口した槽体であって、底面に、内部に溜めた排水を排出するための洗面排水口Ｓ１を備えた洗面ボウルＳＢと、から構成されてなる。
配管部材は、洗面ボウルＳＢ内に生じた排水を、下水側の配管に接続するための部材であって、以下に記載する管体Ｔ、アダプター部材３、逆流防止弁１、等より構成される。
管体Ｔは、洗面台Ｓの洗面ボウルＳＢより生じた排水を、下水側の配管に接続するための円筒状の部材であって、直線状の直管や、角度を持って屈曲したエルボ管、また下記に詳述する取出口付き継手管６等の種類がある。これらは硬質樹脂、または金属材などから構成され、ナット部材や、接着剤などを利用して接続される。
取出口付き継手管６は、管体Ｔの一種であって、略円筒形状であって、上方に取出口６ａを、上方側面と下端とに他の配管部材（管体Ｔ）との接続用の管体部分８を、それぞれ備えてなる。尚取出口６ａの内側面には、後述するアダプター部材３の回転ロック式嵌合部４と嵌合する突起部９を備えてなる。
アダプター部材３は、略円筒形状の配管部材であって、円筒形状の部材の側面から下端に向かって、アダプター部材３内部に流体（本実施例の場合排水）が通過する流路部３ｂを備えてなる。流路部３ｂの位置は、アダプター部材３を取出口付き継手管６の内部に配置した時、図１乃至図２のように、取出口付き継手管６の側面の管体部分８に、流路部３ｂの上流の端部が合致するように構成されてなる（後述する回転ロックが適正に行われた場合に、取出口付き継手管６の側面の管体部分８に、流路部３ｂの上流の端部が合致するように構成されてなる）。また、円筒形状の上端側の端部には、取出口付き継手管６の取出口６ａを閉塞する、取っ手（図示せず）を備えた蓋部５を構成してなる。
また、下端側の端部であって、流路部３ｂの下流側端部の外周部分に、後述する逆流防止弁密閉部１ｄに密閉的に当接し、嵌合する、側面方向に向かって凸となるリブ部分を周縁に沿って備えた取付部３ａを備えてなる。
尚、アダプター部材３は、蓋部５の下方にて、回転ロック式嵌合部４を備えてなり、アダプター部材３を取出口付き継手管６内に配置した後、アダプター部材３をある程度回転させることで、回転ロック式嵌合部４と突起部９を嵌合させ、アダプター部材３を取出口付き継手管６内に固定することができる。
逆流防止弁１は、配管構造の内部に配置固定される、シリコンゴムなど弾性を有する素材から構成される部材であって、略筒形状にして本体部１ａと、本体部１ａの上流側の端部に備えた開口部１ｂと、本体部１ａの下流側の端部に備えた、対向する面同士が漸次近接するように設けた傾斜により当接することで閉塞される閉塞部１ｃと、を備えてなる。
この逆流防止弁１は、上記のように構成したことで、上流側の端部である開口部１ｂから排水が流入すると、その重量／水圧により、下流側の閉塞部１ｃが弾性変形し、開口して内部の排水を排出する。排水の排出が完了し、内部の排水の量が減少すると、開口した閉塞部１ｃが弾性により元の閉塞状態に変形し、閉塞部１ｃが閉塞する。
下流側から屋内側に臭気や排水、害虫類などが逆流しようとした場合、配管の途中に配置されたこの逆流防止弁１の閉塞部１ｃが閉塞していることにより、通過することができないため、この逆流防止弁１よりも上流側に逆流することができない。また通気や排水の逆流が生じた場合でも、外周方向から圧力が加えられた場合では、閉塞部１ｃの対向する面同士がより強く当接するため、閉塞を維持し、下流側から上流側への通過、即ち逆流を防止する。
このように、排水を行う配管構造の内部に配置され、下流側から屋内側への臭気や害虫類の逆流を防止する部材を、排水トラップと呼ぶ。尚、排水トラップは臭気や害虫類の逆流を防止する機能が必須である一方で、排水の逆流に対しては防止する機能が必須では無いが、この第一実施例の排水トラップである逆流防止弁１は、排水などに対しても逆流を防止する機能を有している。
更に本第一実施例の逆流防止弁１には、弾性を有する本体部１ａと一体に構成される逆流防止弁密閉部１ｄが備えられてなる。
該逆流防止弁密閉部１ｄについて詳述すると、本体部１ａの周縁に、周縁に沿って連続して設けられる、断面略コの字形状の部分であって、コの字の開口が内側方向を向いて形成されてなる。このようにコの字形状としたことで、コの字の上側の面と下側の面、即ち対向する面Ｐが形成されてなる。
また、逆流防止弁密閉部１ｄの断面視略コの字形状の外周部分に、コの字の外周部分に周縁に沿って連続して設けた凸条からなるアダプター密閉部２を設けてなる。該アダプター密閉部２は、アダプター部材３に取り付けられた逆流防止弁１を、取出口付き継手管６内に配置したとき、アダプター密閉部２の凸条の外側面が、取出口付き継手管６の、内側面であって、上流の管体部分８と下流側の管体部分８の間に配置され、アダプター部材３と、管体である取出口付き継手管６の内部との間で密閉を生じるように構成されてなる。
また、アダプター部材３の蓋部５の周縁に、断面円形の弾性素材をリング状に構成した、Ｏリング部材Ｏを備えてなる。このＯリング部材Ｏは、上述した逆流防止弁１の素材に比べ、比較的表面が滑らかで滑り性のよい素材にて構成されてなる。
また、上記洗面台Ｓが設置される床面の床下空間には、下水側に繋がる、床下配管が備えられてなる。
【００１８】
上記した各部材から構成される、洗面台の逆流防止弁を備えた配管構造は、以下のようにして施工され、排水を下水側に排出する。
床面上に、洗面ボウルＳＢ及びキャビネットからなる洗面台Ｓを設置する。次に、洗面ボウルＳＢの洗面排水口Ｓ１から、下水側の床下配管迄を、管体Ｔによって配管接続する。この管体Ｔの配管接続においては、図１に示したように、洗面ボウルＳＢの排水口に接続した管体Ｔに、エルボ管を接続して、一端キャビネット奥側側壁に向かって配管を屈曲させ、更に取出口付き継手管６を介して配管方向を下方に向けた後、直管を利用し床下配管に接続する。接続部分はパッキングを利用したナット締め固定、または接着剤を利用した接着固定で行い、各接続部分を漏水等が生じないように充分な密閉強度にて接続する。また配管接続に際しては、直線状の管体Ｔをカットすることで位置あわせを行う。
また、アダプター部材３に逆流防止弁１を接続する。この接続においては、逆流防止弁１の逆流防止弁密閉部１ｄを、アダプター部材３の取付部３ａに嵌合させて取り付ける。具体的には、逆流防止弁密閉部１ｄの断面略コの字形状の部分において、コの字の開口から、コの字の内部に、アダプター部材３の取付部３ａのリブ部分を収納するようにして嵌合させることで、アダプター部材３に逆流防止弁１を密閉的に嵌合させ、接続固定する。このように、逆流防止弁密閉部１ｄのコの字形状において、コの字の上側の面と下側の面、即ち対向する面Ｐに、アダプター部材３の取付部３ａのリブ部分が上下から挟持されるようにして嵌合することで、アダプター部材３と逆流防止弁１の間が密閉的に接続される。
最後に、取出口付き継手管６の取出口６ａから、逆流防止弁１を接続したアダプター部材３を挿入し、アダプター部材３を取出口付き継手管６に嵌合固定させる。
この時には、アダプター部材３は、蓋部５の側面に回転ロック式嵌合部４を備えてなり、アダプター部材３を取出口付き継手管６内に配置した後、アダプター部材３をある程度回転させることで、アダプター部材３を取出口付き継手管６内に固定することができる。
この時、逆流防止弁密閉部１ｄの断面視略コの字形状の外周部分に設けたアダプター密閉部２が、取出口付き継手管６の内面に、周縁に沿って連続して当接し、上流の管体部分８と下流側の管体部分８の間に配置され、逆流防止弁１を介して、アダプター部材３と取出口付き継手管６の内部との間で密閉を生じる。これにより、逆流防止弁１の外部と管体Ｔの内部との間で密閉が達成され、逆流防止弁１の上流側と下流側の間で、逆流防止弁１の閉塞部１ｃが閉塞されている状態において、流体である排水の通過が生じないようにすることができる。
また、蓋部５により取出口６ａが閉塞され密閉される。この蓋部５の側面には、Ｏリング部材Ｏが備えられており、このＯリング部材Ｏを介して蓋部５外側面と取出口６ａの内周縁が当接することで、取出口６ａが水密的に閉塞され密閉される。尚、上述のように、このＯリング部材Ｏは、逆流防止弁１の素材に比べ、比較的表面が滑らかで滑り性のよい素材にて構成されてなるため、アダプター部材３を回転ロックによって嵌合させる際に、摩擦の程度が低くなり作業性が良くなる。
【００１９】
上記のように構成した洗面台Ｓの配管構造では、下水側の臭気や害虫類は、
１．排水が無い状態では逆流防止弁１の閉塞部１ｃは閉塞しており、逆流防止弁１の閉塞部１ｃを通過して下流側から上流側（屋内側）に逆流することはできない。
２．逆流防止弁１とアダプター部材３との間は、逆流防止弁密閉部１ｄと取付部３ａとが嵌合していることと、取付部３ａと逆流防止弁１の本体部１ａに由来する弾性を備えた逆流防止弁密閉部１ｄとが水密的に当接することから、密閉されており、逆流防止弁１とアダプター部材３との間を通過して下流側から上流側（屋内側）に逆流することはできない。
３．管体Ｔ内面とアダプター部材３との間は、逆流防止弁１に設けたアダプター密閉部２が管体Ｔ内面に当接していることと、逆流防止弁１の本体部１ａに由来する弾性を備えたアダプター密閉部２が、管体Ｔ内面と水密的に当接することから、密閉されており、アダプター部材３と管体Ｔ内面の間を通過して下流側から上流側（屋内側）に逆流することはできない。
また通気や排水の逆流が生じた場合でも、外周方向から圧力が加えられた場合では、閉塞部１ｃの対向する面同士がより強く当接するため、閉塞を維持し、下流側から上流側への通過、即ち逆流を防止する。
このようにして、配管構造内に配置された逆流防止弁１の上流側と下流側は、配管構造内を流体が上流から下流側へ適切に通過している状態以外の時は、逆流防止弁１の密閉により区画されている。
【００２０】
洗面ボウルＳＢ内部に排水が生じると、排水は、洗面排水口Ｓ１から、管体Ｔを介し、側面の管体部分８から取出口付き継手管６の内部に流入し、逆流防止弁１内部に溜まる。
逆流防止弁１内部に溜まった排水の重量／水圧により、逆流防止弁１の閉塞部１ｃは、弾性変形を生じて開口されるため、内部の排水が排出され、そのまま排水は取出口付き継手管６の下流側の管体部分８から、管体Ｔを介して下水側である床下配管に排出される。排水の排出が終了し、逆流防止弁１内部の排水が失われると、排水の重量／圧力が無くなったことで、閉塞部１ｃは再び弾性変形し、閉塞部１ｃを閉塞して、排水が完了する。
このように、本実施例の逆流防止弁１は、排水を上流側から下流側に排出することが可能である一方で、下流側から上流側（屋内側）への臭気や害虫類（及び排水）の逆流を防止する機能を有することから、排水トラップとして機能する。
【００２１】
また、長期間の使用により、逆流防止弁１や配管構造内に塵芥などが堆積した場合、アダプター部材３と取出口付き継手管６との嵌合を解除し、アダプター部材３を管体である取出口付き継手管６の上端に設けた取出口６ａから取り出すことで、逆流防止弁１やアダプター部材３の清掃を行うことができる。また、配管構造内部に塵芥等が溜まって管詰まりを生じた場合等は、アダプター部材３を取り出した後、取出口６ａから高圧洗浄器やカンツール機など、管体Ｔの清掃器具を配管構造内部に挿通して、管詰まりを解消することができる。
【００２２】
次に、本発明の第二実施例について、図面を参照しつつ説明する。
図４乃至図６に示した、本発明の第二実施例の逆流防止弁を備えた配管構造は、以下に記載する、浴槽Ｂと、洗い場パンＷと、管体Ｔや逆流防止弁１等からなる配管部材と、その他の部材より構成されてなる。
浴槽Ｂは、上方が開口した槽体であって、底面に、内部に溜めた浴湯を排出するための浴槽排水口Ｂ１を備えてなる。
洗い場パンＷは、浴室の使用者が身体を洗うなどする、浴槽Ｂに隣接して備えられた防水パンであって、底面に洗い場パンＷ上の排水を排出するための洗い場パン排水口Ｗ１を備えてなる。
配管部材は、浴槽Ｂ内の排水や、洗い場パンＷ上に生じた排水を、浴槽排水口Ｂ１また洗い場排水口を介して下水側の配管に接続するための部材であって、以下に記載する管体Ｔ、アダプター部材３、逆流防止弁１、等より構成される。
管体Ｔは、洗面台Ｓの洗面ボウルＳＢより生じた排水を、下水側の排水主管に接続するための円筒状の部材であって、直線状の直管や、角度を持って屈曲したエルボ管、また下記に詳述する流入口付き継手管７等の種類がある。これらは硬質樹脂、または金属材などから構成され、ナット部材や、接着剤などを利用して接続される。
流入口付き継手管７は、管体Ｔの一種であって、略円筒形状であって、上方に流入口７ａを、側面の対向位置に、上下に分かれるようにして他の配管部材（管体Ｔ）との接続用の管体部分８を、それぞれ備えてなる。また、流入口７ａは洗い場排水口に対して水密的に接続可能に構成されてなる。尚流入口７ａの内側面には、後述するアダプター部材３の回転ロック式嵌合部４と嵌合する突起部９を備えてなる。
アダプター部材３は、略円筒形状の部材であって、円筒形状の上端から下端に向かって、アダプター部材３内部に流体（本実施例の場合排水）が通過する流路部３ｂを備えてなる。
また、下流側の端部であって、流路部３ｂの下流側端部の外周部分に、逆流防止弁密閉部１ｄに密閉的に当接し、嵌合する、取付部３ａを備えてなる。
取付部３ａについて詳述すると、流路部３ｂの下流側端部の外周部分に、周縁に沿って連続して設けられる、断面略コの字形状の部分であって、コの字の開口が外側方向を向いて形成されてなる。このようにコの字形状としたことで、コの字の上側の面と下側の面、即ち対向する面Ｐが形成されてなる。
尚、アダプター部材３は、側面部分にて、回転ロック式嵌合部４を備えてなり、アダプター部材３を流入口付き継手管７内に配置した後、アダプター部材３をある程度回転させることで、回転ロック式嵌合部４と突起部９を嵌合させ、アダプター部材３を流入口付き継手管７内に固定することができる。
逆流防止弁１は、配管構造の内部に配置固定される、シリコンゴムなど弾性を有する素材から構成される部材であって、略筒形状にして本体部１ａと、本体部１ａの上流側の端部に備えた開口部１ｂと、本体部１ａの下流側の端部に備えた、対向する面同士が漸次近接するように設けた傾斜により当接することで閉塞される閉塞部１ｃと、を備えてなる。
この逆流防止弁１は、上記のように構成したことで、上流側の端部である開口部１ｂから排水が流入すると、その重量／水圧により、下流側の閉塞部１ｃが弾性変形し、開口して内部の排水を排出する。排水の排出が完了し、内部の排水の量が減少すると、開口した閉塞部１ｃが弾性により元の閉塞状態に変形し、閉塞部１ｃが閉塞する。
下流側から屋内側に臭気や排水、害虫類などが逆流しようとした場合、配管の途中に配置されたこの逆流防止弁１の閉塞部１ｃが閉塞していることにより、通過することができないため、この逆流防止弁１よりも上流側に逆流することができない。また通気や排水の逆流が生じた場合でも、外周方向から圧力が加えられた場合では、閉塞部１ｃの対向する面同士がより強く当接するため、閉塞を維持し、下流側から上流側への通過、即ち逆流を防止する。
このように、排水を行う配管構造の内部に配置され、下流側から屋内側への臭気や害虫類の逆流を防止する部材を、排水トラップと呼ぶ。尚、排水トラップは臭気や害虫類の逆流を防止する機能が必須である一方で、排水の逆流に対しては防止する機能が必須では無いが、この第二実施例の排水トラップである逆流防止弁１は、排水などに対しても逆流を防止する機能を有している。
更に本第二実施例の逆流防止弁１には、弾性を有する本体部１ａと一体に構成される逆流防止弁密閉部１ｄが備えられてなる。
該逆流防止弁密閉部１ｄについて詳述すると、本体部１ａの内周縁に、内周縁に沿って連続して設けられるリブ部分であって、取付部３ａのコの字の内部に嵌合するように形成されてなる。
また、逆流防止弁密閉部１ｄの外周部分に、周縁に沿って連続して設けた凸条からなるアダプター密閉部２を設けてなる。該アダプター密閉部２は、アダプター部材３に取り付けられた逆流防止弁１を、流入口付き継手管７内に配置したとき、アダプター密閉部２の凸条の外側面が、流入口付き継手管７の、内側面であって、上流の管体部分８と下流側の管体部分８の間に配置され、アダプター部材３と、管体である流入口付き継手管７の内部との間で密閉を生じるように構成されてなる。
【００２３】
上記の各部材から構成される浴槽・浴室の逆流防止弁１を備えた配管構造は、以下のようにして施工され、排水を下水側に排出する。
洗い場排水口に、流入口付き継手管７の流入口７ａを接続固定する。次に、流入口付き継手管７の上流側の管体部分８を浴槽排水口Ｂ１に、下流側の管体部分８を下水側の配管に、それぞれ管体Ｔによって配管接続する。管体Ｔの接続部分はパッキングを利用したナット締め固定、または接着剤を利用した接着固定で行い、各接続部分を漏水等が生じないように充分な密閉強度にて接続する。また配管接続に際しては、直線状の管体Ｔをカットすることで位置あわせを行う。
また、アダプター部材３に逆流防止弁１を接続する。この接続においては、逆流防止弁１の逆流防止弁密閉部１ｄを、アダプター部材３の取付部３ａに嵌合させて取り付ける。具体的には、配管部材であるアダプター部材３の取付部３ａの断面略コの字形状の部分において、コの字の開口から、コの字の内部に、逆流防止弁１の逆流防止弁密閉部１ｄのリブ部分を収納するようにして嵌合させることで、アダプター部材３に逆流防止弁１を密閉的に嵌合させ、接続固定する。このように、取付部３ａのコの字形状において、コの字の上側の面と下側の面、即ち対向する面Ｐに、逆流防止弁１の逆流防止弁密閉部１ｄのリブ部分が、上下から挟持されるようにして嵌合することで、アダプター部材３と逆流防止弁１の間が密閉的に接続される。
最後に、流入口付き継手管７の流入口７ａから、逆流防止弁１を接続したアダプター部材３を挿入し、アダプター部材３を流入口付き継手管７に嵌合固定させる。
この時には、アダプター部材３は、アダプター部材３の側面にて、回転ロック式嵌合部４を備えてなり、アダプター部材３を流入口付き継手管７内に配置した後、アダプター部材３をある程度回転させることで、アダプター部材３を流入口付き継手管７内に固定することができる。
また、逆流防止弁密閉部１ｄの外周部分に設けたアダプター密閉部２が、流入口付き継手管７の内面に、周縁に沿って連続して当接し、上流の管体部分８と下流側の管体部分８の間に配置され、逆流防止弁１を介して、アダプター部材３と流入口付き継手管７の内部との間で密閉を生じる。これにより、逆流防止弁１の外部と管体Ｔの内部との間で密閉が達成され、逆流防止弁１の上流側と下流側の間で、逆流防止弁１の閉塞部１ｃが閉塞されている状態において、流体である排水の通過が生じないようにすることができる。
【００２４】
上記のように構成した浴槽・浴室の配管構造では、下水側の臭気や害虫類は、
１．排水が無い状態では逆流防止弁１の閉塞部１ｃは閉塞しており、逆流防止弁１の閉塞部１ｃを通過して下流側から上流側（屋内側）に逆流することはできない。
２．逆流防止弁１とアダプター部材３との間は、逆流防止弁密閉部１ｄと取付部３ａとが嵌合していることと、取付部３ａと逆流防止弁１に由来する弾性を備えた逆流防止弁密閉部１ｄとが水密的に当接することから、密閉されており、逆流防止弁１とアダプター部材３との間を通過して下流側から上流側（屋内側）に逆流することはできない。
３．管体Ｔ内面とアダプター部材３との間は、逆流防止弁１に設けたアダプター密閉部２が管体Ｔ内面に当接していることと、逆流防止弁１の本体部１ａに由来する弾性を備えたアダプター密閉部２が、管体Ｔ内面と水密的に当接することから、密閉されており、アダプター部材３と管体Ｔ内面の間を通過して下流側から上流側（屋内側）に逆流することはできない。
また通気や排水の逆流が生じた場合でも、外周方向から圧力が加えられた場合では、閉塞部１ｃの対向する面同士がより強く当接するため、閉塞を維持し、下流側から上流側への通過、即ち逆流を防止する。
このようにして、配管構造内に配置された逆流防止弁の上流側と下流側は、配管構造内を流体が上流から下流側へ適切に通過している状態以外の時は、逆流防止弁の密閉により区画されている。
【００２５】
浴槽排水口Ｂ１上に排水が生じると、排水は、浴槽排水口Ｂ１から、管体Ｔを介し、側面の管体部分８から流入口付き継手管７の内部に流入し、逆流防止弁１内部に溜まる。
逆流防止弁１内部に溜まった排水の重量／水圧により、逆流防止弁１の閉塞部１ｃは、弾性変形を生じて開口されるため、内部の排水が排出され、そのまま排水は流入口付き継手管７の下流側の管体部分８から、管体Ｔを介して下水側の配管に排出される。排水の排出が終了し、逆流防止弁１内部の排水が失われると、排水の重量／圧力が無くなったことで、閉塞部１ｃは再び弾性変形し、閉塞部１ｃを閉塞して、排水が完了する。
また、洗い場パンＷ上に排水が生じると、排水は、洗い場パン排水口Ｗ１から、流入口７ａを介し、流入口付き継手管７の内部に流入し、逆流防止弁１内部に溜まる。以下は浴槽排水口Ｂ１からの排水と同様の手順にて排水が行われ、洗い場パンＷ上に生じた排水の排水が完了する。
このように、本実施例の逆流防止弁１は、排水を上流側から下流側に排出することが可能である一方で、下流側から上流側（屋内側）への臭気や害虫類の逆流を防止する機能を有することから、排水トラップとして機能する。
【００２６】
また、長期間の使用により、逆流防止弁１や配管構造内に塵芥などが堆積した場合、アダプター部材３と流入口付き継手管７との嵌合を解除し、アダプター部材３を管体である流入口付き継手管７の上端に設けた流入口７ａから取り出すことで、逆流防止弁１やアダプター部材３の清掃を行うことができる。また、配管構造内部に塵芥等が溜まって管詰まりを生じた場合等は、アダプター部材３を取り出した後、流入口７ａから高圧洗浄器やカンツール機など、管体Ｔの清掃器具を配管構造内部に挿通して、管詰まりを解消することができる。
【００２７】
次に、本発明の第三実施例について、図面を参照しつつ説明する。
図７乃至図９に示した、本発明の第三実施例の逆流防止弁１を備えた配管構造は、以下に記載する、換気ファンＦと、管体Ｔ等からなる配管部材（換気ダクト管）と、その他の部材より構成されてなる。
換気ファンＦは屋内と屋外との間で通気を行うための、空気の流れを生じさせる部材である。本実施例では屋内から屋外へ通気を行うために、屋内から屋外に向かって空気の流れを生じさせる（従って、屋内側が上流、屋外側が下流となる）。
配管部材は、屋内と屋外との間で通気を行うための、換気ファンＦから屋外側への空気の流れを導くための部材であって、以下に記載する管体Ｔ、アダプター部材３、逆流防止弁１等より構成される。
管体Ｔは、内部に空気が流れる、アルミニウム等の金属材によって構成される筒状の部材であって、直線状の直管や、角度を持って屈曲したエルボ管、また下記に詳述する取出口付き継手管６等の種類がある。これらの管体Ｔは、ビスとナット部材などを利用して接続し、換気ファンＦから目的とする部屋（又は位置）までつり下げ金具Ｋなどを利用し、天井につり下げるようにして配管する。
取出口付き継手管６は、管体Ｔの一種であって、略円筒形状であって、側面に取出口６ａを、円筒の両端に他の配管部材（管体Ｔ）との接続部分を、それぞれ備えてなる。また、取出口６ａを閉塞する蓋部５を備えてなる。
アダプター部材３は、略円筒形状の部材であって、円筒形状の部材の両端に、アダプター部材３内部に流体（本実施例の場合空気）が通過する流路部３ｂを備えてなる。
また、下流側の端部であって、流路部３ｂの下流側端部の外周部分に、逆流防止弁密閉部１ｄに密閉的に当接し、嵌合する、断面凹形状に屈曲する事で、上流方向に向かって凸となるリブ部分を周縁に沿って備えた取付部３ａを備えてなる。
逆流防止弁１は、配管構造の内部に配置固定される、シリコンゴムなど弾性を有する素材から構成される部材であって、略筒形状にして本体部１ａと、本体部１ａの上流側の端部に備えた開口部１ｂと、本体部１ａの下流側の端部に備えた、対向する面同士が漸次近接するように設けた傾斜により当接することで閉塞される閉塞部１ｃと、を備えてなる。
更に本第三実施例の逆流防止弁１には、弾性を有する本体部１ａと一体に構成される逆流防止弁密閉部１ｄが備えられてなる。
該逆流防止弁密閉部１ｄについて詳述すると、本体部１ａの内周縁に、内周縁に沿って連続して設けられる、断面略コの字形状の部分であって、コの字の開口が下流側方向を向いて形成されてなる。このようにコの字形状としたことで、コの字の上側の面と下側の面、即ち対向する面Ｐが形成されてなる。
また、逆流防止弁密閉部１ｄの断面視略コの字形状の外周部分に、コの字の外周部分に周縁に沿って連続して設けた凸条からなるアダプター密閉部２を設けてなる。該アダプター密閉部２は、アダプター部材３に取り付けられた逆流防止弁１を、取出口付き継手管６内に配置したとき、アダプター密閉部２の凸条の外側面が、取出口付き継手管６の、内周面であって、アダプター部材３と、管体である取出口付き継手管６の内部で密閉を生じるように構成されてなる。
この逆流防止弁１は、上記のように構成したことで、換気ファンＦ等を作動させる事などで上流側の端部である開口部１ｂから正圧を作用されるか、または下流側から負圧が作用されるかして、下流側に比べ上流側の圧力が増大すると、その圧力差により、下流側の閉塞部１ｃが弾性変形し、開口して上流側から下流側へ内部の空気を通気させる。換気ファンＦが停止する等して上流側と下流側の気圧差が無くなると、開口した閉塞部１ｃが弾性により元の閉塞状態に変形し、閉塞部１ｃが閉塞する。
上流側に比べ下流側の圧力が増大した場合、外周方向から圧力が加えられる事となり、閉塞部１ｃの対向する面同士がより強く当接するため、閉塞を維持し、下流側から上流側への通過、即ち逆流を防止する。
また、逆流防止弁密閉部１ｄの外周部分に、周縁に沿って連続して設けた凸条からなるアダプター密閉部２を設けてなる。該アダプター密閉部２は、アダプター部材３に取り付けられた逆流防止弁１を、取出口付き継手管６内に配置したとき、アダプター密閉部２の凸条の外側面が、取出口付き継手管６の、アダプター部材３と、管体である取出口付き継手管６の内部との間で密閉を生じるように構成されてなる。
【００２８】
上記の各部材から構成される換気ファンＦの逆流防止弁を備えた配管構造は、以下のようにして施工され、屋内から屋外への通気（換気）を行う。
建物の、屋外に面した位置の開口に、換気ファンＦを設置する。
次に、換気を行う対象の部屋（位置）から、換気ファンＦ迄を、つり下げ金具Ｋ等を利用しつつ、途中に取出口付き継手管６を介して、配管接続する。接続部分はビスとナット部材等を利用したナット締め固定等で行い、各接続部分を通気洩れが生じないように充分な密閉強度にて接続する。
また、アダプター部材３に逆流防止弁１を接続する。この接続においては、逆流防止弁１の逆流防止弁密閉部１ｄを、アダプター部材３の取付部３ａに嵌合させて取り付ける。具体的には、逆流防止弁密閉部１ｄの断面略コの字形状の部分において、コの字の開口から、コの字の内部に、アダプター部材３の取付部３ａのリブ部分を収納するようにして嵌合させることで、アダプター部材３に逆流防止弁１を接続固定する。このように、逆流防止弁密閉部１ｄのコの字形状において、コの字の内側の面と外側の面、即ち対向する面Ｐに、アダプター部材３の取付部３ａのリブ部分が内側と外側から挟持されるようにして嵌合することで、アダプター部材３と逆流防止弁１の間が密閉的に接続される。
最後に、取出口付き継手管６の取出口６ａから、逆流防止弁１を接続したアダプター部材３を挿入し、アダプター部材３を取出口付き継手管６に嵌合固定させる。
この時には、取出口６ａからアダプター部材３を挿入し、取出口６よりも下流の、管体Ｔの内側面に開口が無い部分にスライドさせる。この時、逆流防止弁密閉部１ｄの断面視略コの字形状の外周部分に設けたアダプター密閉部２が、管体Ｔの内側面に、周縁に沿って連続して当接し、逆流防止弁１を介して、アダプター部材３と取出口付き継手管６の内部との間で密閉を生じる。
これにより、逆流防止弁１の外周と管体である取出口付き継手管６の内周との間で密閉が達成され、逆流防止弁１の上流側と下流側の間で、逆流防止弁１の閉塞部１ｃが閉塞されている状態において、流体である空気の通過が生じないようにすることができる。
最後に、蓋部５により取出口６ａを閉塞して、建物の換気の為の換気ファンの、逆流防止弁を備えた配管構造の施工が完了する。
【００２９】
上記のように構成した換気ファンＦの配管構造では、
１．通気が無い状態では逆流防止弁１の閉塞部１ｃは閉塞しており、逆流防止弁１の閉塞部１ｃを通過して下流側（屋外側）から上流側（屋内側）に空気が逆流することはない。
２．逆流防止弁１とアダプター部材３との間は、逆流防止弁密閉部１ｄと取付部３ａとが嵌合していることと、逆流防止弁１の本体部１ａに由来する弾性により逆流防止弁密閉部１ｄと取付部３ａとが気密的に当接することから、密閉されており、逆流防止弁１とアダプター部材３との間を通過して下流側（屋外側）から上流側（屋内側）に空気が逆流することはない。
３．管体Ｔ内面とアダプター部材３との間は、逆流防止弁１に設けたアダプター密閉部２が管体Ｔ内面に当接していることと、逆流防止弁１の本体部１ａに由来する弾性によりアダプター密閉部２が管体Ｔ内面と逆流防止弁１を介して気密的に当接することから、密閉されており、逆流防止弁１とアダプター部材３との間を通過して下流側（屋外側）から上流側（屋内側）に空気が逆流することはない。
このようにして、配管内に配置された逆流防止弁１の上流側（屋内側）と下流側（屋外側）は、配管内を空気が上流側（屋内側）から下流側（屋外側）へ適切に通過している状態以外の時は、逆流防止弁１の密閉により区画されている。
【００３０】
換気ファンＦを作動させ、屋外に向けて気体の排気を行うと、配管の逆流防止弁１よりも下流側の気圧は上流側の気圧に比較して低くなり、逆流防止弁１の下流側の方が、上流側に比べて負圧（低圧）になる。このように、下流側に比べ上流側の圧力が増大すると、その圧力差により、逆流防止弁１の閉塞部１ｃは、弾性変形を生じて開口されて気圧の高い上流側（屋内側）から気圧の低い下流側（屋外側）に通気を生じる。換気ダクトを停止させるなどにより、逆流防止弁１の上流側（屋内側）と下流側（屋外側）との気圧差が解消されると、閉塞部１ｃは再び弾性変形し、閉塞部１ｃを閉塞して、通気が終了する。
【００３１】
換気ダクトが動作していない状態（または換気ダクトにより生じる空気の流れが充分でない場合）において、上流側に比べ下流側の圧力が増大した場合、外周方向から圧力が加えられる事となり、閉塞部１ｃの対向する面同士がより強く当接するため、閉塞を維持する。
また、アダプター密閉部２、管体Ｔ内面、逆流防止弁１の間も密閉されて通気が生じないように構成されていることから、下流側（屋外側）から上流側（屋内側）に空気が逆流を生じることはない。
【００３２】
また、長期間の使用により、逆流防止弁１等が劣化する等して、メンテナンスが必要になった場合、蓋部５による取出口６ａの閉塞を解除し、アダプター部材３と取出口付き継手管６との嵌合を解除し、アダプター部材３を取出口６ａから取り出すことで、逆流防止弁１やアダプター部材３の清掃／交換を行うことができる。
【００３３】
本発明の実施例は以上のようであるが、本発明は上記実施例に限定される物ではなく、主旨を変更しない範囲において自由に変更が可能である。
例えば上記第一実施例、第二実施例においては、配管構造は排水機器の排出を行う排水配管に対応するものであるが、本発明は上記実施例に限定されるものではなく、給水管に対して行う配管構造に採用してももちろん構わない。
また、上記各実施例では、アダプター部材３を採用した場合、アダプター密閉部２を、逆流防止弁１の逆流防止弁密閉部１ｄの外側面に、凸条として設けているが、本発明は上記実施例に限定されるものではなく、逆流防止弁１上であれば、どの位置に構成しても構わないし、また、図１０に示したように管体Ｔの内面の傾斜面や、図１１に示したように管体Ｔの内面の段部に当接するように構成しても構わない。また、図１０や図１１の実施例のように、適切に当接するので有れば、必ずしも凸条を必要とするものでもない。
【符号の説明】
【００３４】
１    逆流防止弁                  １ａ  本体部
１ｂ  開口部                      １ｃ  閉塞部
１ｄ  逆流防止弁密閉部            ２    アダプター密閉部
３    アダプター部材              ３ａ  取付部
３ｂ  流路部                      ４    回転ロック式嵌合部
５    蓋部                        ６    取出口付き継手管
６ａ  取出口                      ７    流入口付き継手管
７ａ  流入口                      ８    管体部分
９    突起部                      Ｔ    管体
Ｓ    洗面台                      ＳＢ  洗面ボウル
Ｓ１  洗面台排水口                Ｃ    キャビネット部
Ｂ    浴槽                        Ｂ１  浴槽排水口
Ｗ    洗い場パン                  Ｗ１  洗い場パン排水口
Ｆ    換気ファン                  Ｋ    つり下げ金具
Ｏ    Ｏリング部材                Ｐ    コの字の対向する面
【図１】
2014043912.tif 000003
【図２】
2014043912.tif 000004
【図３】
2014043912.tif 000005
【図４】
2014043912.tif 000006
【図５】
2014043912.tif 000007
【図６】
2014043912.tif 000008
【図７】
2014043912.tif 000009
【図８】
2014043912.tif 000010
【図９】
2014043912.tif 000011
【図１０】
2014043912.tif 000012
【図１１】
2014043912.tif 000013
【図１２】
2014043912.tif 000014